(57)【特許請求の範囲】
【請求項１】
折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の下端縁全域に接着固定されて、外面が前記各側面部にほぼ密着する内袋と；を備え、前記内袋の各側面部から下方に突出する部分は、下底と斜辺とのなす角度が４５度以上で、かつ高さが第１側面部の横幅と第２側面部の横幅とを乗じて２で割った値の平方根以上の値の台形状をなしていることを特徴とする内袋を有する段ボール箱。
【請求項２】
内袋の各側面部から下方に突出する部分は、下底と斜辺とのなす角度がともに４５度で、かつ高さが第１側面部の横幅と第２側面部の横幅とを乗じて２で割った値の平方根である台形状をなしていることを特徴とする請求項１記載の内袋を有する段ボール箱。
【請求項３】
折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の下端縁全域に接着固定されて、外面が前記各側面部にほぼ密着する内袋と；を備え、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状に形成するとともに、前記内袋を、第３側面部および第４側面部上に接着固定した後に、糊代を内袋上に接着固定し、次いで第１側面部および第２側面部を内袋側に折返して内袋および糊代に接着固定することを特徴とする内袋を有する段ボール箱の製造方法。
【請求項４】
折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の下端縁全域に接着固定されて、外面が前記各側面部にほぼ密着する内袋と；を備え、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状に形成するとともに、前記内袋を、第２側面部および第３側面部上に接着固定した後に、第４側面部および糊代を内袋側に折返して内袋に接着固定し、次いで第１側面部を内袋側に折返して内袋および糊代に接着固定することを特徴とする内袋を有する段ボール箱の製造方法。
【発明の詳細な説明】
【０００１】
【発明の属する技術分野】
本発明は、外箱と一体構造の内袋を有する段ボール箱およびその製造方法に係り、特に平封筒状の内袋を用いることができる内袋を有する段ボール箱およびその製造方法に関する。
【０００２】
【従来の技術】
一般に、段ボール箱内に液状あるいは粒粉状をなす収容物を収容する場合には、これらの収容物が段ボール箱の上下のフラップ部から漏れるおそれがあるため、段ボール箱内に内袋を配置し、収容物をこの内袋内に収容するようにしているのが通例である。
【０００３】
ところで、内袋が段ボール箱と別体構造となっている場合には、取扱いが容易でないため、両者を一体構造とする必要がある。そこで従来は、まず展開状態の段ボール箱の内面に展開状態の内袋を接着固定し、次いで展開状態の段ボール箱を折線にそって折曲げるとともに、内袋の端部を熱溶着等の方法によりシールして内袋を構成し、最後に段ボール箱の端部を連結して段ボール箱を構成する方法を採っている。
【０００４】
【発明が解決しようとする課題】
前記従来の段ボール箱の製造方法においては、段ボール箱を組立てる際に内袋も製造されることになるため、内袋の内部が汚れたりゴミが入るおそれがあり、また平封筒状をなす内袋を、段ボール箱を組立てる際に製造しなければならないため、製造工程上どうしても段ボール箱に不要な折線を入れざるを得ず、ためにこの折線により製品となった段ボール箱の壁面強度が低下するという問題がある。また、内袋と段ボール箱とが一部一体に組合わされることになるため、使用後内袋と段ボール箱とを分離してリサイクルを図ろうとしても、分離作業が容易でないという問題もある。
【０００５】
本発明は、かかる現況に鑑みなされたもので、内袋の内部が汚れたりゴミ等が入るおそれがなく、また平封筒状の内袋を用いても外箱に不要な折線を入れる必要がなく、リサイクルも容易な内袋を有する段ボール箱およびその製造方法を提供することを目的とする。
【０００６】
本発明の他の目的は、段ボール箱を組立てる際に、内袋の底部の折りたたみを容易なものとすることができるようにすることにある。
【０００７】
本発明の他の目的は、特に外箱の各側面部の横幅が同一寸法の正方形の段ボール箱に適用した際に、組立作業を極めて容易なものとすることができるようにすることにある。
【０００８】
本発明の他の目的は、より少ない材料で内袋を製造することができるようにすることにある。
【０００９】
本発明のさらに他の目的は、外箱の底面形状が長方形をなす段ボール箱に適用した際に、内袋の底部の折りたたみ作業を極めて容易なものとすることができるようにすることにある。
【００１０】
【課題を解決するための手段】
前記目的を達成するため本発明は、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の下端縁全域に接着固定されて、外面が前記各側面部にほぼ密着する内袋と；を設け、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状となるようにしたことを特徴とする。そしてこれにより、より少ない材料で内袋を製造することが可能となる。
【００１３】
本発明はまた、内袋の各側面部から下方に突出する部分を、下底と斜辺とのなす角度がともに４５度で、かつ高さが第１側面部の横幅と第２側面部の横幅とを乗じて２で割った値の平方根である台形状となるようにしたことを特徴とする。そしてこれにより、内袋の底部に弛みを生じさせることなく折りたたむことが可能となり、しかも外箱の底面形状が長方形の場合にも、折りたたんだ内袋の先端が、外箱の外形から外方に突出することがない。
【００１４】
本発明はまた、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の下端縁全域に接着固定されて、外面が前記各側面部にほぼ密着する内袋と；を設け、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状に形成するとともに、前記内袋を、第３側面部および第４側面部上に接着固定した後に、糊代を内袋上に接着固定し、次いで第１側面部および第２側面部を内袋側に折返して内袋および糊代に接着固定するようにしたことを特徴とする。そしてこれにより、予め平封筒状に製造されている内袋を用いて段ボール箱を製造することが可能となり、内袋内部が汚れたりゴミ等が入るおそれがない。また、平封筒状の内袋を用いても、外箱に不要な折線を入れる必要がないので、外箱の壁面強度が低下するといった不具合がない。また、内袋は外箱の最内部に位置していて、内袋の一部が例えば糊代と第１側面部との間に折り込まれるといったことがないので、使用後両者を容易に分離することができ、リサイクルが容易となる。また、より少ない材料で内袋を製造することが可能となり、また外箱の底面形状が長方形の場合であっても、折りたたんだ内袋の先端が外箱外形から突出するのを防止あるいは可及的少なくすることが可能となる。
【００１５】
本発明はまた、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の下端縁全域に接着固定されて、外面が前記各側面部にほぼ密着する内袋と；を備え、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状に形成するとともに、前記内袋を、第２側面部および第３側面部上に接着固定した後に、第４側面部および糊代を内袋側に折返して内袋に接着固定し、次いで第１側面部を内袋側に折返して内袋および糊代に接着固定するようにしたことを特徴とする。そしてこの場合にも、内袋内部が汚れたりゴミ等が入るおそれがなく、また外箱の壁面強度が低下するといった不具合がない。またリサイクルも容易である。また、より少ない材料で内袋を製造することが可能となり、また外箱の底面形状が長方形の場合であっても、折りたたんだ内袋の先端が外箱外形から突出するのを防止あるいは可及的少なくすることが可能となる。
【００１８】
【発明の実施の形態】
以下、本発明を図面を参照して説明する。図１および図２は、参考の形態に係る内袋を有する段ボール箱を示すもので、この段ボール箱１は、方形容器状に組立てられる段ボール製の外箱２と、この外箱２内に接着固定された平封筒状の内袋３とから構成されており、収容物は内袋３内に収容されるようになっている。
【００１９】
前記外箱２は、図３に示すように折線４，５，６を介し順次連結された第１側面部７，第２側面部８，第３側面部９および第４側面部１０と、第４側面部１０に折線１１を介し連結された糊代１２と、前記各側面部７，８，９，１０の上端部に折線１３，１４，１５，１６を介しそれぞれ連結された天部フラップ１７，１８，１９，２０と、前記各側面部７，８，９，１０の下端部に折線２１，２２，２３，２４を介しそれぞれ連結された底部フラップ２５，２６，２７，２８とから構成されており、前記各側面部７，８，９，１０により外箱２の周壁が構成されるとともに、前記各天部フラップ１７，１８，１９，２０により外箱２の上蓋が構成され、また前記各底部フラップ２５，２６，２７，２８により外箱２の底蓋が構成されるようになっている。そしてこの外箱２は、底面形状が正方形をなすようになっている。
【００２０】
一方、前記内袋３は、図４に示すように、例えば内面に熱可塑性プラスチックフィルムをラミネートした紙製シート材を二つ折りに折曲げ、その側縁および下縁を熱溶着して平封筒状に形成されており、その横幅Ｗ0 は、前記第１側面部７の横幅Ｗ1 と第２側面部８の横幅Ｗ2 とを合計した値（すなわち第３側面部９の横幅Ｗ3 と第４側面部１０の横幅Ｗ4 とを合計した値）とほぼ同一に設定されている。また、内袋３の前記各側面部７，８，９，１０から下方に突出する部分は、底角θ1 ，θ2 がともに４５度をなす二等辺三角形に形成されており、これにより、内袋３の底部を折りたたんで段ボール箱１の底を形成する際に、内袋３の底部に弛みを生じさせることなく折りたたむことができるとともに、折りたたんだ先端部が外箱２の外形から外側に突出しないようにすることができるようになっている。なお、これについては後に詳述する。
【００２１】
このように構成された内袋３は、図５に網目を施した箇所に接着剤２９を塗布して外箱２を製造することにより、外箱２に接着固定されるようになっている。
【００２２】
次に、本参考の形態に係る段ボール箱１の製造方法について説明する。製造に際しては、図５に示すように、まず予め定められた形状にカットされた外箱２を、その内面が上面側にくるようにして配置し、この状態で、第３側面部９の周縁部，第４側面部１０の周縁部，天部フラップ１９の全域，および天部フラップ２０の下端部に接着剤２９を塗布する。そして、その上に内袋３を載置して、内袋３と両側面部９，１０および両天部フラップ１９，２０とを接着固定する。
【００２３】
次いで、糊代１２の全域に接着剤２９を塗布するとともに、折線１１を介して折曲げ、内袋３の上面に糊代１２を接着固定する。
【００２４】
次いで、第１側面部７の周縁部，第２側面部８の周縁部，天部フラップ１７の全域，および天部フラップ１８の全域に接着剤２９を塗布する。そして、両側面部７，８を折線５を介し内袋３の上面側に二つ折りに折り返し、両側面部７，８および両天部フラップ１７，１８を、内袋３および糊代１２の上面に接着固定する。
【００２５】
以上の作業により、段ボール箱１の製造が完了するので、その後各折線４，５，６を介して４枚の側面部７，８，９，１０を角筒状に折曲げるとともに、内袋３の底部を折りたたみ、その後各底部フラップ２５，２６，．２７，２８を、各折線２１，２２，２３，２４を介し内側に折曲げ、ガムテープ等で固定して段ボール箱１の底蓋を完成させる。
【００２６】
次いで、内袋３内にその上端開口部から収容物を投入し、その後天部フラップ１７，１９を各折線１３，１５を介し内側に折曲げるとともに、天部フラップ１８，２０を折線１４，１６を介し内側に折曲げる。すると、内袋３の上端開口部は、閉じられた状態で両天部フラップ１８，２０の先端間から立上げられることになる。そこで、内袋３の前記立上げられた部分を、最適な位置で熱溶着等によりシールするとともに、必要に応じシール位置から上方の余分な部分をカットする。そしてその後、内側に折曲げていた天部フラップ２０を立上げるとともに、内袋３の上端部分を天部フラップ２０の下側に折込み、再び天部フラップ２０を内側に折曲げる。そして最後に、ガムテープ等で固定して段ボール箱１の上蓋を完成させる。
【００２７】
ところで、４枚の側面部７，８，９，１０を角筒状に折曲げると、図６に示すように、内袋３下端の三角形の部分は、三角形の両斜辺を平らにする方向に広げられ、その先端が三角形に立上げられることになる。
【００２８】
ここで、各底角θ1 ，θ2 はともに４５度であるので、三角形の両斜辺を平らにする方向に広げられた際に、平らに広げられた部分に弛みを生じさせることがなく、またその先端の三角形に立上げられた部分を、両側面部８，９のコーナ側に折りたたむと、外箱２底部の外形から外側に突出することなく外箱２の外形内に収まることになる。これは、両側面部７，１０のコーナ側に折りたたんでも同様である。
【００２９】
一方、内袋３の上端側は、各側面部７，８，９，１０のみでならず、各天部フラップ１７，１８，１９，２０にも接着固定されており、しかもこれら各天部フラップ１７，１８，１９，２０は、内側に折曲げるまでは、各側面部７，８，９，１０と一体の平面をなしている。このため、４枚の側面部７，８，９，１０を角筒状に折曲げると、内袋３の上端開口部も、これに倣って角筒状に広げられることになる。このため、収容物を容易に内袋３内に投入することができる。
【００３０】
しかして、予め平封筒状に製作されている内袋３を用いることができるので、内袋３の内部が汚れたりゴミ等が入るおそれが全くない。また、内袋３が平封筒状であるにも拘らず、外箱２に不要な折線を入れる必要がないので、壁面強度が低下するといった不具合がない。また、内袋３の底部は、底角θ1 ，θ2 がともに４５度の二等辺三角形状をなしているので、弛みなく折りたたむことができるとともに、折りたたんだ先端が外箱２の外形から外側に突出することもなく、段ボール箱１の組立作業が容易である。
【００３１】
なお、前記参考の形態においては、段ボール箱１の製造に際して、図５に示すように、内袋３をまず第３側面部９および第４側面部１０の上面に接着固定する場合について説明したが、内袋３をまず第２側面部８および第３側面部９の上面に接着固定し、次いで第４側面部１０および糊代１２を、折線６を介し内袋３側に折返して内袋３の上面に接着固定し、最後に第１側面部７を、折線４を介し内袋３側に折返して内袋３および糊代１２の上面に接着固定するようにしてもよい。そして、このような製造方法の場合にも、前記参考の形態における製造方法と同様の効果が期待できる。
【００３２】
また、前記参考の形態においては、内袋３の下端部が、底角θ1 ，θ2がともに４５度の二等辺三角形状をなす場合について説明したが、底角θ1 ，θ2 が４５度以上の三角形であれば、例えば底角θ1 ，θ2 がともに６０度の正三角形や、底角θ1 が４５度で底角θ2 が６０度の三角形等でもよい。そしてこの場合には、内袋３の底部を折りたたんだ際に、多少弛みが生じたりあるいは折りたたんだ先端が外箱２の外形から外側に突出したりすることはあるが、その他の点については、同様の効果が期待できる。
【００３３】
また、前記参考の形態においては、４枚の側面部７，８，９，１０の横幅Ｗ1 ，Ｗ2 ，Ｗ3 ，Ｗ4 がすべて同一寸法である場合，すなわち外箱２の底面形状が正方形である場合について説明したが、横幅Ｗ1 ，Ｗ3 とＷ2 Ｗ4 とが異なる寸法である場合，すなわち外箱２の底面形状が長方形である場合にも、同様に適用することができる。
【００３４】
ただし、長方形の場合、内袋３の下端部を、底角θ1 ，θ2 がともに４５度の二等辺三角形状にした場合であっても、図７に示すように、折りたたんだ先端部が外箱２の外形から外側に突出してしまうことになる。このため、突出した部分を再度内側に折返す必要がある。
【００３５】
図８および図９は、外箱２の底面形状が長方形の場合でも、内袋３下端の折りたたんだ先端部が、外箱２の外形から外側に突出することがないようにした本発明の実施の形態を示すもので、内袋３の各側面部７，８，９，１０から下方に突出する部分を台形状に形成するようにしたものである。
【００３６】
すなわち、内袋３の各側面部７，８，９，１０から下方に突出する部分は、図９に示すように下底と斜辺とのなす角度θ3 ，θ4 がともに４５度をなす台形状に形成されており、その高さＴは、第１側面部７の横幅Ｗ1 と第２側面部８の横幅Ｗ2 とを乗じて２で割った値の平方根と同一の値になるように設定されている。
【００３７】
次に、高さＴを前述のように決定している理由について説明する。
いま、図１０に示すように、長辺の長さがＡ，短辺の長さがＢ，対角線の長さが２Ｃの長方形状をなす外箱２を考えると、前記各長さＡ，Ｂ，２Ｃの関係は、次式で与えられる。
【００３８】
【数１】
0003989040.tif 000002
【００３９】
一方、内袋３の各側面部７，８，９，１０から下方に突出する部分が所定寸法の台形状をなす場合、すなわち、図１１に示すように、下底と斜辺とのなす角度θ3 ，θ4 がともに４５度で高さがＴの台形の場合、各側面部７，８，９，１０を角筒状に折曲げた際の対角線の位置は、折線４と上底の中点とを結んだ線分位置および折線６と上底の中点とを結んだ線分位置（図１１では折線４側のみを図示）となる。
【００４０】
ここで、図１１に示すように、上底の中点から垂線を降ろして三角形Ｚを考えると、三角形Ｚの各辺の長さは、図１２に示すように、Ｃ，Ｔ，（Ａ−Ｂ）／２となる。そして、これら各長さＣ，Ｔ，（Ａ−Ｂ）／２の関係は、次式で与えられる。
【００４１】
【数２】
0003989040.tif 000003
【００４２】
そして、この数２に前記数１を代入すると、高さＴは次式で与えられる。
【００４３】
【数３】
0003989040.tif 000004
【００４４】
以上のことから、台形の高さＴは、第１側面部７の横幅Ｗ1 （すなわち長さＢ）と第２側面部８の横幅Ｗ2 （すなわち長さＡ）とを乗じて２で割った値の平方根と同一の値となる。
【００４５】
内袋３の各側面部７，８，９，１０から下方に突出する部分が、前述のように寸法設定された台形状をなす場合、各側面部７，８，９，１０を角筒状に折曲げると、内袋３の台形部分は図１３に示すように折りたたまれ、折りたたまれた先端部が外箱２の外形から外側に突出することがなくなる。
【００４６】
しかして、内袋３の底部の形状を、角度θ3 ，θ4 がともに４５度で、高さＴが数３の右辺で与えられる値となるような台形状としているので、弛みなく折りたたむことができるとともに、折りたたんだ先端部が外箱２の外形から外側に突出することもない。
【００４７】
なお、前記実施の形態においては、内袋３の下端部が、角度θ3 ，θ4がともに４５度で高さＴが数３の右辺で与えられる値となる台形状をなす場合について説明したが、角度θ3 ，θ4 が４５度以上の台形であれば、例えば角度θ3 ，θ4 がともに６０度の台形や、角度θ3 が４５度で角度θ4 が６０度の台形等でもよい。また高さＴも、数３の右辺で与えられる値以上であればよい。ただし、これらの場合には、前記三角形の場合と同様、多少弛み等が生じることになる。
【００４８】
また、前記実施の形態においては、外箱２の底面形状が長方形である場合について説明したが、数３の関係は理論的には正方形の場合にも成立するので、外箱２の底面形状が正方形の場合にも同様に適用することができる。そして、内袋３の底部を台形状にすることにより、三角形状の場合に比較して、より少ない材料で内袋３を製造することができる。反面、内袋３底部の折りたたみ方が多少複雑になるので、使用目的等に合わせ三角形と台形とを適宜選択することになる。これは、外箱２の底面形状が長方形の場合も同様である。
【００５０】
【発明の効果】
以上説明したように本発明は、内袋の各側面部から下方に突出する部分を、下底と斜辺とのなす角度が４５度以上で、かつ高さが第１側面部の横幅と第２側面部の横幅とを乗じて２で割った値の平方根以上の値の台形状となるようにしているので、より少ない材料で内袋を製造することができる。
【００５３】
本発明はまた、内袋の各側面部から下方に突出する部分を、下底と斜辺とのなす角度がともに４５度で、かつ高さが第１側面部の横幅と第２側面部の横幅とを乗じて２で割った値の平方根である台形状となるようにしているので、内袋の底部に弛みを生じさせることなく折りたたむことができるとともに、最少の材料で内袋を製造することができ、しかも外箱の底面形状が長方形の場合であっても、折りたたんだ内袋の先端が、外箱底面の外形から外方に突出することがない。
【００５４】
本発明はまた、内袋の各側面部から下方に突出する部分を、下底と斜辺とのなす角度が４５度以上で、かつ高さが第１側面部の横幅と第２側面部の横幅とを乗じて２で割った値の平方根以上の値の台形状に形成するとともに、内袋を、第３側面部および第４側面部上に接着固定した後に、糊代を内袋上に接着固定し、次いで第１側面部および第２側面部を内袋側に折返して内袋および糊代に接着固定するようにしているので、予め平封筒筒状に製造されている内袋を用いて段ボール箱を製造することができ、内袋内部が汚れたりゴミ等が入るおそれが全くない。また、平封筒状の内袋を用いても、外箱に不要な折線を入れる必要がないので、外箱の壁面強度が低下するといった不具合がない。また、内袋は外箱の最内部に位置していて、内袋の一部が例えば糊代と第１側面部との間に折り込まれるといったことがないので、使用後に両者を容易に分離することができ、リサイクルが容易である。また、より少ない材料で内袋を製造することができ、また外箱の底面形状が長方形の場合であっても、折りたたんだ内袋の先端が外箱の外形から外側に突出するのを防止あるいは可及的少なくすることができる。
【００５５】
本発明はまた、内袋の各側面部から下方に突出する部分を、下底と斜辺とのなす角度が４５度以上で、かつ高さが第１側面部の横幅と第２側面部の横幅とを乗じて２で割った値の平方根以上の値の台形状に形成するとともに、内袋を、第２側面部および第３側面部上に接着固定した後に、第４側面部および糊代を内袋側に折返して内袋に接着固定し、次いで第１側面部を内袋側に折返して内袋および糊代に接着固定するようにしているので、前記製造方法の場合と同様、内袋内部が汚れたりゴミ等が入るおそれが全くなく、外箱の壁面強度が低下するといった不具合もない。また、内袋が外箱の最内部に位置しているので、両者を容易に分離することができ、リサイクルが容易である。また、より少ない材料で内袋を製造することができ、また外箱の底面形状が長方形の場合であっても、折りたたんだ内袋の先端が外箱の外形から外側に突出するのを防止あるいは可及的少なくすることができる。
【図面の簡単な説明】
【図１】参考の形態に係る内袋を有する段ボール箱を示す断面図である。
【図２】図１と同様の外観構成図である。
【図３】外箱の展開図である。
【図４】内袋の構成図である。
【図５】外箱と内袋との接着固定方法を示す説明図である。
【図６】外箱を角筒状に折曲げた際の内袋底部の折りたたみ状態を示す斜視図である。
【図７】底面形状が長方形をなす外箱の場合に、内袋の底部を三角形状にした際の内袋底部の折りたたみ状態を示す説明図である。
【図８】本発明の実施の形態を示す図１相当図である。
【図９】図８の内袋の構成を示す相当図である。
【図１０】底面形状が長方形をなす外箱における長辺，短辺および対角線の関係を示す説明図である。
【図１１】内袋の底部を台形状にすることができる理由を示す説明図である。
【図１２】図１１の台形の高さを決定する方法を示す説明図である。
【図１３】外箱を角筒状に折曲げた際の台形状をなす内袋底部の折りたたみ状態を示す説明図である。
【符号の説明】
１  段ボール箱
２  外箱
３  内袋
４，５，６，１１，１３，１４，１５，１６，２１，２２，２３，２４  折線
７  第１側面部
８  第２側面部
９  第３側面部
１０  第４側面部
１２  糊代
１７，１８，１９，２０  天部フラップ
２５，２６，２７，２８  底部フラップ
２９  接着剤
Ｗ0 ，Ｗ1 ，Ｗ2 ，Ｗ3 ，Ｗ4   横幅
θ1 ，θ2   底角
θ3 ，θ4   角度
Ｔ  高さ
【図１】
0003989040.tif 000005
【図２】
0003989040.tif 000006
【図３】
0003989040.tif 000007
【図４】
0003989040.tif 000008
【図５】
0003989040.tif 000009
【図６】
0003989040.tif 000010
【図７】
0003989040.tif 000011
【図８】
0003989040.tif 000012
【図９】
0003989040.tif 000013
【図１０】
0003989040.tif 000014
【図１１】
0003989040.tif 000015
【図１２】
0003989040.tif 000016
【図１３】
0003989040.tif 000017